(57)【要約】移動端末１は、発呼要求部１１とメモリ部１２と発呼要求確率生起部１３とを備えている。基地局２は、トラヒック測定部２１と、発呼規制送信部２２とを備える。発呼要求部１１は、加入者から要求があった送信先電話番号１１１を得る。又、基地局２からの発呼規制信号を受信し、発呼規制値Ｍ１１１２、Ｍ２１１３（Ｍ１＜Ｍ２）を得る。発呼規制値Ｍ１、Ｍ２（Ｍ１＜Ｍ２）は、優先送信先電話番号用の発呼規制値Ｍ１１１２、優先送信先電話番号以外用の発呼規制値Ｍ２１１３とする。
2005032198.tif 000002
【特許請求の範囲】
【請求項１】
移動端末と基地局とから構成され、
前記基地局は、トラヒック測定部と、発呼規制送信部とを備え、
前記トラヒック測定部は、前記移動端末から送信される発呼要求信号を受信するとともに一定時間単位でその信号数を数えて通信トラヒックを測定し、
前記発呼規制送信部は、通信トラヒックの測定値が一定値以上になった場合には、発呼を規制すべき発呼規制信号を送信し、通信トラヒックの測定値が一定値未満になった場合には、規制無を示す特定パターンをのせた発呼規制信号を送信し発呼規制を解除し、
前記移動端末は、発呼要求部とメモリ部と乱数発生器である発呼要求確率生起部とを備え、
前記メモリ部は、優先送信先電話番号を記憶しており、
前記発呼要求確率生起部は、最低値１−最高値１００％のランダムな数Ｎである発呼要求確率を発生し、
前記発呼要求部は、加入者から要求があった送信先電話番号を得、前記基地局からの発呼規制信号を受信し、優先送信先電話番号用の発呼規制値Ｍ１と優先送信先電話番号以外用の発呼規制値Ｍ２（Ｍ１＜Ｍ２）を得、前記発呼要求確率生起部を動作させて前記発呼要求確率Ｎを得、前記メモリ部から前記優先送信先電話番号を読み出し、前記送信先電話番号が、前記優先送信先電話番号の中に存在するか否か確認し、
前記送信先電話番号が前記優先送信先電話番号に存在する場合は、前記発呼要求確率Ｎと前記発呼規制値Ｍ１を比較し、前記発呼要求確率Ｎが前記発呼規制値Ｍ１より大きい時は発呼要求信号を送信し、小さい時には前記移動端末のディスプレイに発呼拒否メッセージを出力の上、加入者からの発呼要求は破棄し、
反対に、前記送信先電話番号が、前記優先送信先電話番号に存在しない場合は、前記発呼要求確率Ｎと前記発呼規制値Ｍ２を比較し、前記発呼要求確率Ｎが前記発呼規制値Ｍ２より大きい時は発呼要求信号を送信し、小さい時には前記移動端末のディスプレイに発呼拒否メッセージを出力の上、加入者からの発呼要求は破棄する、発呼規制時における優先発呼受付システム。
【請求項２】
前記基地局は、更に、日時管理部とタイマーとを備え、
前記日時管理部は、多数の発呼が予想される日時付近に近づいたら事前に、通信トラヒックの測定値に関わらず、前記発呼規制送信部より、発呼規制信号を送信し、発呼規制信号を送信したら前記タイマーを動作させ、一定時間を経過した場合には、規制無を示す特定パターンをのせた発呼規制信号を送信し発呼規制を解除する、請求項１に記載の発呼規制時における優先発呼受付システム。
【請求項３】
更に、上位装置を含み、
該上位装置は、地震や大規模災害が発生した場合に、その災害がどの基地局エリアで発生、収束したものかを認識、管理している装置であり、該当する基地局に対し、災害発生、収束の災害情報を災害情報信号で通知し、
前記基地局は、更に、災害時対応部を備え、
該災害時対応部は、前記上位装置から災害情報信号を受信し、災害発生の場合には、通信トラヒックの測定値に関わらず、前記発呼規制送信部より、発呼規制信号を送信し、災害収束の場合には、規制無を示す特定パターンをのせた発呼規制信号を送信し発呼規制を解除する、請求項１に記載の発呼規制時における優先発呼受付システム。
【請求項４】
上位装置と、複数の交換局と、該交換局の配下の複数の基地局と、該交換局の配下の複数の移動端末とが連なってネットワーク全体として構成され、
前記上位装置は、固定網の電話番号も含む電話番号を管理している装置であり、前記上位装置のメモリ部には、予め多数の発呼が予想される特定の送信先電話番号を記憶させておき、
前記交換局は、トラヒック測定部と発呼規制送信部とメモリ部とタイマーとを備え、
前記交換局内のトラヒック測定部は、前記基地局から送信される発呼要求信号の受信、及び一定時間単位でその信号数を数えて通信トラヒックを測定するとともに、送信先電話番号と該送信先電話番号に対する発呼要求数を、発呼要求数が多い順に一定数を前記交換局内のメモリ部のリストに登録し、
前記タイマーは、一定時間単位で前記交換局内のメモリ部のリストをクリアし、
前記交換局内の発呼規制送信部は、前記交換局内のメモリ部のリストにおいて発呼要求数が一定値以上になった送信先電話番号があった場合は、該送信先電話番号が優先送信先電話番号ではなく、前記特定の送信先電話番号に該当するか否かを、前記上位装置のメモリ部に登録されている前記特定の送信先電話番号で確認し、
前記特定の送信先電話番号に該当する場合は、前記交換局内の発呼規制送信部は、該当する送信先電話番号を、規制送信先電話番号として基地局−交換局間及び交換局−交換局間の信号にのせて基地局へ通知し、
前記交換局内の発呼規制送信部は、基地局へ通知した前記規制送信先電話番号への発呼要求数が、前記交換局内のメモリ部のリストにおいて、一定値未満になった場合には、規制解除を示す特定パターンを基地局へ通知し、
前記基地局は、トラヒック測定部と、発呼規制送信部とを備え、
前記基地局内のトラヒック測定部は、前記移動端末から送信される発呼要求信号の受信するとともに一定時間単位でその信号数を数えて通信トラヒックを測定し、
前記基地局内の発呼規制送信部は、通信トラヒックの測定値が一定値以上になった場合には、発呼を規制すべき発呼規制信号を送信するとともに、通信トラヒックの測定値が一定値未満の場合においても、前記交換局から前記規制送信先電話番号を受信した場合は、発呼規制信号内の規制送信先電話番号にのせ、発呼規制信号を送信し、通信トラヒックの測定値が一定値未満になった場合や、前記交換局から規制送信先電話番号の規制解除を示す特定パターンを受信した場合は、規制無を示す特定パターンをのせた発呼規制信号を前記移動端末へ送信し発呼規制を解除し、
前記移動端末は、発呼要求部とメモリ部と乱数発生器である発呼要求確率生起部とを備え、
前記移動端末のメモリ部は、優先送信先電話番号を記憶しており、
前記発呼要求確率生起部は、最低値１−最高値１００％のランダムな数Ｎである発呼要求確率を発生し、
前記発呼要求部は、加入者から要求があった送信先電話番号を得、前記基地局からの発呼規制信号を受信し、優先送信先電話番号用の発呼規制値Ｍ１と優先及び規制送信先電話番号以外用の発呼規制値Ｍ２と規制送信先電話番号用の発呼規制値Ｍ３（Ｍ１＜Ｍ２＜Ｍ３）及び規制送信先電話番号を得、前記発呼要求確率生起部を動作させて前記発呼要求確率Ｎを得、前記移動端末のメモリ部から前記優先送信先電話番号を読み出し、前記送信先電話番号が、前記優先送信先電話番号の中に存在するか否か確認し、
前記送信先電話番号が前記優先送信先電話番号に存在する場合は、前記発呼要求確率Ｎと前記発呼規制値Ｍ１を比較し、前記発呼要求確率Ｎが前記発呼規制値Ｍ１より大きい時は発呼要求信号を送信し、小さい時には前記移動端末のディスプレイに発呼拒否メッセージを出力の上、加入者からの発呼要求は破棄し、
反対に、前記送信先電話番号が、前記優先送信先電話番号に存在しない場合は、前記発呼規制信号内の前記規制送信先電話番号の中に存在するか否か確認し、存在しない場合は、前記発呼要求確率Ｎと前記発呼規制値Ｍ２を比較し、前記発呼要求確率Ｎが前記発呼規制値Ｍ２より大きい時は発呼要求信号を送信し、小さい時には前記移動端末のディスプレイに発呼拒否メッセージを出力の上、加入者からの発呼要求は破棄し、
反対に、前記送信先電話番号が、前記規制送信先電話番号に存在する場合は、前記発呼要求確率Ｎと前記発呼規制値Ｍ３を比較し、前記発呼要求確率Ｎが前記発呼規制値Ｍ３より大きい時は発呼要求信号を送信し、小さい時には前記移動端末のディスプレイに発呼拒否メッセージを出力の上、加入者からの発呼要求は破棄する、発呼規制時における優先発呼受付システム。
【請求項５】
前記予め多数の発呼が予想される特定の送信先電話番号は、チケット予約先電話番号である、請求項４に記載の発呼規制時における優先発呼受付システム。
【請求項６】
前記上位装置は、更に、日時管理部とタイマーとを備え、
前記日時管理部は、多数の発呼が予想される日時付近に近づいたら事前に、通信トラヒックの測定値に関わらず、規制送信先電話番号を基地局−交換局間及び交換局−交換局間の信号にのせて基地局へ通知し、
規制送信先電話番号を通知したら前記上位装置のタイマーを動作させ、一定時間を経過した場合には、規制解除を示す特定パターンを基地局へ通知し発呼規制を解除する、請求項４に記載の発呼規制時における優先発呼受付システム。
【請求項７】
移動端末と基地局とから構成され、
前記基地局は、トラヒック測定部と、発呼規制送信部とを備え、
前記移動端末は、発呼要求部とメモリ部と乱数発生器である発呼要求確率生起部とを備える、発呼規制時における優先発呼受付システムを用いた優先発呼受付方法であって、
前記トラヒック測定部により、前記移動端末から送信される発呼要求信号を受信するとともに一定時間単位でその信号数を数えて通信トラヒックを測定し、
前記発呼規制送信部により、通信トラヒックの測定値が一定値以上になった場合には、発呼を規制すべき発呼規制信号を送信し、通信トラヒックの測定値が一定値未満になった場合には、規制無を示す特定パターンをのせた発呼規制信号を送信し発呼規制を解除し、
前記メモリ部により、優先送信先電話番号を記憶しており、
前記発呼要求確率生起部により、最低値１−最高値１００％のランダムな数Ｎである発呼要求確率を発生し、
前記発呼要求部により、加入者から要求があった送信先電話番号を得、前記基地局からの発呼規制信号を受信し、優先送信先電話番号用の発呼規制値Ｍ１と優先送信先電話番号以外用の発呼規制値Ｍ２（Ｍ１＜Ｍ２）を得、前記発呼要求確率生起部を動作させて前記発呼要求確率Ｎを得、前記メモリ部から前記優先送信先電話番号を読み出し、前記送信先電話番号が、前記優先送信先電話番号の中に存在するか否か確認し、
前記送信先電話番号が前記優先送信先電話番号に存在する場合は、前記発呼要求確率Ｎと前記発呼規制値Ｍ１を比較し、前記発呼要求確率Ｎが前記発呼規制値Ｍ１より大きい時は発呼要求信号を送信し、小さい時には前記移動端末のディスプレイに発呼拒否メッセージを出力の上、加入者からの発呼要求は破棄し、
反対に、前記送信先電話番号が、前記優先送信先電話番号に存在しない場合は、前記発呼要求確率Ｎと前記発呼規制値Ｍ２を比較し、前記発呼要求確率Ｎが前記発呼規制値Ｍ２より大きい時は発呼要求信号を送信し、小さい時には前記移動端末のディスプレイに発呼拒否メッセージを出力の上、加入者からの発呼要求は破棄する、発呼規制時における優先発呼受付システムを用いた優先発呼受付方法。
【請求項８】
前記基地局は、更に、日時管理部とタイマーとを備える、発呼規制時における優先発呼受付システムを用いた優先発呼受付方法であって、
前記日時管理部により、多数の発呼が予想される日時付近に近づいたら事前に、通信トラヒックの測定値に関わらず、前記発呼規制送信部より、発呼規制信号を送信し、発呼規制信号を送信したら前記タイマーを動作させ、一定時間を経過した場合には、規制無を示す特定パターンをのせた発呼規制信号を送信し発呼規制を解除する、請求項６に記載の発呼規制時における優先発呼受付システムを用いた優先発呼受付方法。
【請求項９】
更に、地震や大規模災害が発生した場合に、その災害がどの基地局エリアで発生、収束したものかを認識、管理している上位装置を含み、前記基地局は、更に、災害時対応部を備える、発呼規制時における優先発呼受付システムを用いた優先発呼受付方法であって、
前記上位装置により、該当する基地局に対し、災害発生、収束の災害情報を災害情報信号で通知し、
該災害時対応部により、前記上位装置から災害情報信号を受信し、災害発生の場合には、通信トラヒックの測定値に関わらず、前記発呼規制送信部より、発呼規制信号を送信し、災害収束の場合には、規制無を示す特定パターンをのせた発呼規制信号を送信し発呼規制を解除する、請求項６に記載の発呼規制時における優先発呼受付システムを用いた優先発呼受付方法。
【請求項１０】
固定網の電話番号も含む電話番号を管理している上位装置と、複数の交換局と、該交換局の配下の複数の基地局と、該交換局の配下の複数の移動端末とが連なってネットワーク全体として構成され、
前記交換局は、トラヒック測定部と発呼規制送信部とメモリ部とタイマーとを備え、
前記基地局は、トラヒック測定部と、発呼規制送信部とを備え、
前記移動端末は、発呼要求部とメモリ部と乱数発生器である発呼要求確率生起部とを備える、発呼規制時における優先発呼受付システムを用いた優先発呼受付方法であって、
前記上位装置のメモリ部により、予め多数の発呼が予想される特定の送信電話番号を記憶させておき、
前記交換局内のトラヒック測定部により、前記基地局から送信される発呼要求信号の受信、及び一定時間単位でその信号数を数えて通信トラヒックを測定するとともに、送信先電話番号と該送信先電話番号に対する発呼要求数を、発呼要求数が多い順に一定数を前記交換局内のメモリ部のリストに登録し、
前記タイマーにより、一定時間単位で前記交換局内のメモリ部のリストをクリアし、
前記交換局内の発呼規制送信部により、前記交換局内のメモリ部のリストにおいて発呼要求数が一定値以上になった送信先電話番号があった場合は、該送信先電話番号が優先送信先電話番号ではなく、前記特定の送信先電話番号に該当するか否かを、前記上位装置のメモリ部に登録されている前記特定の送信先電話番号で確認し、
前記特定の送信先電話番号に該当する場合は、前記交換局内の発呼規制送信部は、該当する送信先電話番号を、規制送信先電話番号として基地局−交換局間及び交換局−交換局間の信号にのせて基地局へ通知し、
前記交換局内の発呼規制送信部により、基地局へ通知した前記規制送信先電話番号への発呼要求数が、前記交換局内のメモリ部のリストにおいて、一定値未満になった場合には、規制解除を示す特定パターンを基地局へ通知し、
前記基地局内のトラヒック測定部により、前記移動端末から送信される発呼要求信号の受信するとともに一定時間単位でその信号数を数えて通信トラヒックを測定し、
前記基地局内の発呼規制送信部により、通信トラヒックの測定値が一定値以上になった場合には、発呼を規制すべき発呼規制信号を送信するとともに、通信トラヒックの測定値が一定値未満の場合においても、前記交換局から前記規制送信先電話番号を受信した場合は、発呼規制信号内の規制送信先電話番号にのせ、発呼規制信号を送信し、通信トラヒックの測定値が一定値未満になった場合や、前記交換局から規制送信先電話番号の規制解除を示す特定パターンを受信した場合は、規制無を示す特定パターンをのせた発呼規制信号を前記移動端末へ送信し発呼規制を解除し、
前記移動端末のメモリ部により、優先送信先電話番号を記憶しており、
前記発呼要求確率生起部は、最低値１−最高値１００％のランダムな数Ｎである発呼要求確率を発生し、
前記発呼要求部により、加入者から要求があった送信先電話番号を得、前記基地局からの発呼規制信号を受信し、優先送信先電話番号用の発呼規制値Ｍ１と優先及び規制送信先電話番号以外用の発呼規制値Ｍ２と規制送信先電話番号用の発呼規制値Ｍ３（Ｍ１＜Ｍ２＜Ｍ３）及び規制送信先電話番号を得、前記発呼要求確率生起部を動作させて前記発呼要求確率Ｎを得、前記移動端末のメモリ部から前記優先送信先電話番号を読み出し、前記送信先電話番号が、前記優先送信先電話番号の中に存在するか否か確認し、
前記送信先電話番号が前記優先送信先電話番号に存在する場合は、前記発呼要求確率Ｎと前記発呼規制値Ｍ１を比較し、前記発呼要求確率Ｎが前記発呼規制値Ｍ１より大きい時は発呼要求信号を送信し、小さい時には前記移動端末のディスプレイに発呼拒否メッセージを出力の上、加入者からの発呼要求は破棄し、
反対に、前記送信先電話番号が、前記優先送信先電話番号に存在しない場合は、前記発呼規制信号内の前記規制送信先電話番号の中に存在するか否か確認し、存在しない場合は、前記発呼要求確率Ｎと前記発呼規制値Ｍ２を比較し、前記発呼要求確率Ｎが前記発呼規制値Ｍ２より大きい時は発呼要求信号を送信し、小さい時には前記移動端末のディスプレイに発呼拒否メッセージを出力の上、加入者からの発呼要求は破棄し、
反対に、前記送信先電話番号が、前記規制送信先電話番号に存在する場合は、前記発呼要求確率Ｎと前記発呼規制値Ｍ３を比較し、前記発呼要求確率Ｎが前記発呼規制値Ｍ３より大きい時は発呼要求信号を送信し、小さい時には前記移動端末のディスプレイに発呼拒否メッセージを出力の上、加入者からの発呼要求は破棄する、発呼規制時における優先発呼受付システムを用いた優先発呼受付方法。
【請求項１１】
前記予め多数の発呼が予想される特定の送信先電話番号は、チケット予約先電話番号である、請求項１０に記載の発呼規制時における優先発呼受付システムを用いた優先発呼受付方法。
【請求項１２】
前記上位装置は、更に、日時管理部とタイマーとを備える、発呼規制時における優先発呼受付システムを用いた優先発呼受付方法であって、
前記日時管理部により、多数の発呼が予想される日時付近に近づいたら事前に、通信トラヒックの測定値に関わらず、規制送信先電話番号を基地局−交換局間及び交換局−交換局間の信号にのせて基地局へ通知し、
規制送信先電話番号を通知したら前記上位装置のタイマーを動作させ、一定時間を経過した場合には、規制解除を示す特定パターンを基地局へ通知し発呼規制を解除する、請求項１０に記載の発呼規制時における優先発呼受付システムを用いた優先発呼受付方法。
【請求項１３】
コンピュータ又はマイクロプロセッサに、請求項７に記載の発呼規制時における優先発呼受付システムを用いた優先発呼受付方法を実行させるためのプログラム。
【請求項１４】
移動通信システムにおいて、
複数の発呼規制値を格納する第１のメモリと、前記複数の発呼規制値のいずれかに関連付けられた電話番号を格納する第２のメモリと、乱数発生装置とを備える移動端末と、
発呼規制信号を送信する手段を備える基地局と
を備え、
前記基地局から前記発呼規制信号を受信している場合、前記移動端末は、発呼しようとしている電話番号を、前記第２のメモリに格納された電話番号と比較し、一致する場合、当該電話番号に関連付けられた前記発呼規制値と、前記乱数発生装置の出力に応じて、発呼の可否を判定する
ことを特徴とする移動通信システム。
【請求項１５】
移動通信システムの移動通信端末において、
複数の発呼規制値を格納する第１のメモリと、前記複数の発呼規制値のいずれかに関連付けられた電話番号を格納する第２のメモリと、乱数発生装置とを備え、
基地局から発呼規制信号を受信している場合、発呼しようとしている電話番号を、前記第２のメモリに格納された電話番号と比較し、一致する場合、当該電話番号に関連付けられた前記発呼規制値と、前記乱数発生装置の出力に応じて、発呼の可否を判定する
ことを特徴とする移動通信端末。
【発明の詳細な説明】
【技術分野】  本発明は、発呼規制時における優先発呼受付システム及び優先発呼受付方法及びコンピュータ又はマイクロプロセッサにその優先発呼受付方法を実行させるためのプログラムに関する。
【背景技術】  発呼規制方法は、移動通信システムにおいて、通信トラヒックに応じて発呼規制を行うために用いられている。
従来の発呼規制方法の一例を以下に示す。従来の方法は、例えば特開平４−３７３３２５号公報や特許第２９９４４９１号公報に記載されている。
第１図は、これらの公報に記載された発呼規制方法の動作手順を示すフローチャートである。移動端末は基地局からの発呼規制信号を受信して、規制エリアに在圏中に発呼する時は自ら発生した乱数値と基地局の発呼規制値を比較して発呼の是非を判断している。
しかし、上述の従来の方式には、次のような問題点があった。
発呼規制時は、仮に１１０番通報や１１９番通報等、緊急を要する先への発呼である加入者の場合でも、移動端末内で発生させる乱数値の出方次第で長時間にわたって発呼の要求が拒否される可能性がある。
その理由は、従来の方式では規制中における発呼の扱いにおいて、全ての発呼が同じ扱いであるためである。
本発明の目的は、規制中における緊急時のサービス性を向上する、発呼規制時における優先発呼受付システム及び優先発呼受付方法及びそのプログラムを提供することにある。
【発明の開示】
本発明の発呼規制時における優先発呼受付システムは、移動端末と基地局とから構成され、基地局は、トラヒック測定部と、発呼規制送信部とを備え、トラヒック測定部は、移動端末から送信される発呼要求信号を受信するとともに一定時間単位でその信号数を数えて通信トラヒックを測定し、発呼規制送信部は、通信トラヒックの測定値が一定値以上になった場合には、発呼を規制すべき発呼規制信号を送信し、通信トラヒックの測定値が一定値未満になった場合には、規制無を示す特定パターンをのせた発呼規制信号を送信し発呼規制を解除し、移動端末は、発呼要求部とメモリ部と乱数発生器である発呼要求確率生起部とを備え、メモリ部は、優先送信先電話番号を記憶しており、発呼要求確率生起部は、最低値１−最高値１００％のランダムな数Ｎである発呼要求確率を発生し、発呼要求部は、加入者から要求があった送信先電話番号を得、基地局からの発呼規制信号を受信し、優先送信先電話番号用の発呼規制値Ｍ１と優先送信先電話番号以外用の発呼規制値Ｍ２（Ｍ１＜Ｍ２）を得、発呼要求確率生起部を動作させて発呼要求確率Ｎを得、メモリ部から優先送信先電話番号を読み出し、送信先電話番号が、優先送信先電話番号の中に存在するか否か確認し、送信先電話番号が優先送信先電話番号に存在する場合は、発呼要求確率Ｎと発呼規制値Ｍ１を比較し、発呼要求確率Ｎが発呼規制値Ｍ１より大きい時は発呼要求信号を送信し、小さい時には移動端末のディスプレイに発呼拒否メッセージを出力の上、加入者からの発呼要求は破棄し、反対に、送信先電話番号が、優先送信先電話番号に存在しない場合は、発呼要求確率Ｎと発呼規制値Ｍ２を比較し、発呼要求確率Ｎが発呼規制値Ｍ２より大きい時は発呼要求信号を送信し、小さい時には移動端末のディスプレイに発呼拒否メッセージを出力の上、加入者からの発呼要求は破棄する。
また、基地局は、更に、日時管理部とタイマーとを備え、日時管理部は、多数の発呼が予想される日時付近に近づいたら事前に、通信トラヒックの測定値に関わらず、発呼規制送信部より、発呼規制信号を送信し、発呼規制信号を送信したらタイマーを動作させ、一定時間を経過した場合には、規制無を示す特定パターンをのせた発呼規制信号を送信し発呼規制を解除してもよい。
また、更に、上位装置を含み、上位装置は、地震や大規模災害が発生した場合に、その災害がどの基地局エリアで発生、収束したものかを認識、管理している装置であり、該当する基地局に対し、災害発生、収束の災害情報を災害情報信号で通知し、基地局は、更に、災害時対応部を備え、災害時対応部は、上位装置から災害情報信号を受信し、災害発生の場合には、通信トラヒックの測定値に関わらず、発呼規制送信部より、発呼規制信号を送信し、災害収束の場合には、規制無を示す特定パターンをのせた発呼規制信号を送信し発呼規制を解除してもよい。
本発明の発呼規制時における優先発呼受付システムは、上位装置と、複数の交換局と、交換局の配下の複数の基地局と、交換局の配下の複数の移動端末とが連なってネットワーク全体として構成され、上位装置は、固定網の電話番号も含む電話番号を管理している装置であり、上位装置のメモリ部には、予め多数の発呼が予想される特定の送信先電話番号を記憶させておき、交換局は、トラヒック測定部と発呼規制送信部とメモリ部とタイマーとを備え、交換局内のトラヒック測定部は、基地局から送信される発呼要求信号の受信、及び一定時間単位でその信号数を数えて通信トラヒックを測定するとともに、送信先電話番号と送信先電話番号に対する発呼要求数を、発呼要求数が多い順に一定数を交換局内のメモリ部のリストに登録し、タイマーは、一定時間単位で交換局内のメモリ部のリストをクリアし、交換局内の発呼規制送信部は、交換局内のメモリ部のリストにおいて発呼要求数が一定値以上になった送信先電話番号があった場合は、送信先電話番号が優先送信先電話番号ではなく、特定の送信先電話番号に該当するか否かを、上位装置のメモリ部に登録されている特定の送信先電話番号で確認し、特定の送信先電話番号に該当する場合は、交換局内の発呼規制送信部は、該当する送信先電話番号を、規制送信先電話番号として基地局−交換局間及び交換局−交換局間の信号にのせて基地局へ通知し、交換局内の発呼規制送信部は、基地局へ通知した規制送信先電話番号への発呼要求数が、交換局内のメモリ部のリストにおいて、一定値未満になった場合には、規制解除を示す特定パターンを基地局へ通知し、基地局は、トラヒック測定部と、発呼規制送信部とを備え、基地局内のトラヒック測定部は、移動端末から送信される発呼要求信号の受信するとともに一定時間単位でその信号数を数えて通信トラヒックを測定し、基地局内の発呼規制送信部は、通信トラヒックの測定値が一定値以上になった場合には、発呼を規制すべき発呼規制信号を送信するとともに、通信トラヒックの測定値が一定値未満の場合においても、交換局から規制送信先電話番号を受信した場合は、発呼規制信号内の規制送信先電話番号にのせ、発呼規制信号を送信し、通信トラヒックの測定値が一定値未満になった場合や、交換局から規制送信先電話番号の規制解除を示す特定パターンを受信した場合は、規制無を示す特定パターンをのせた発呼規制信号を移動端末へ送信し発呼規制を解除し、移動端末は、発呼要求部とメモリ部と乱数発生器である発呼要求確率生起部とを備え、移動端末のメモリ部は、優先送信先電話番号を記憶しており、発呼要求確率生起部は、最低値１−最高値１００％のランダムな数Ｎである発呼要求確率を発生し、発呼要求部は、加入者から要求があった送信先電話番号を得、基地局からの発呼規制信号を受信し、優先送信先電話番号用の発呼規制値Ｍ１と優先及び規制送信先電話番号以外用の発呼規制値Ｍ２と規制送信先電話番号用の発呼規制値Ｍ３（Ｍ１＜Ｍ２＜Ｍ３）及び規制送信先電話番号を得、発呼要求確率生起部を動作させて発呼要求確率Ｎを得、移動端末のメモリ部から優先送信先電話番号を読み出し、送信先電話番号が、優先送信先電話番号の中に存在するか否か確認し、送信先電話番号が優先送信先電話番号に存在する場合は、発呼要求確率Ｎと発呼規制値Ｍ１を比較し、発呼要求確率Ｎが発呼規制値Ｍ１より大きい時は発呼要求信号を送信し、小さい時には移動端末のディスプレイに発呼拒否メッセージを出力の上、加入者からの発呼要求は破棄し、反対に、送信先電話番号が、優先送信先電話番号に存在しない場合は、発呼規制信号内の規制送信先電話番号の中に存在するか否か確認し、存在しない場合は、発呼要求確率Ｎと発呼規制値Ｍ２を比較し、発呼要求確率Ｎが発呼規制値Ｍ２より大きい時は発呼要求信号を送信し、小さい時には移動端末のディスプレイに発呼拒否メッセージを出力の上、加入者からの発呼要求は破棄し、反対に、送信先電話番号が、規制送信先電話番号に存在する場合は、発呼要求確率Ｎと発呼規制値Ｍ３を比較し、発呼要求確率Ｎが発呼規制値Ｍ３より大きい時は発呼要求信号を送信し、小さい時には移動端末のディスプレイに発呼拒否メッセージを出力の上、加入者からの発呼要求は破棄する。
また、予め多数の発呼が予想される特定の送信先電話番号は、チケット予約先電話番号であってもよい。
また、上位装置は、更に、日時管理部とタイマーとを備え、日時管理部は、多数の発呼が予想される日時付近に近づいたら事前に、通信トラヒックの測定値に関わらず、規制送信先電話番号を基地局−交換局間及び交換局−交換局間の信号にのせて基地局へ通知し、規制送信先電話番号を通知したら上位装置のタイマーを動作させ、一定時間を経過した場合には、規制解除を示す特定パターンを基地局へ通知し発呼規制を解除してもよい。
本発明の発呼規制時における優先発呼受付システムを用いた優先発呼受付方法は、移動端末と基地局とから構成され、基地局は、トラヒック測定部と、発呼規制送信部とを備え、移動端末は、発呼要求部とメモリ部と乱数発生器である発呼要求確率生起部とを備える、発呼規制時における優先発呼受付システムを用いた優先発呼受付方法であって、トラヒック測定部により、移動端末から送信される発呼要求信号を受信するとともに一定時間単位でその信号数を数えて通信トラヒックを測定し、発呼規制送信部により、通信トラヒックの測定値が一定値以上になった場合には、発呼を規制すべき発呼規制信号を送信し、通信トラヒックの測定値が一定値未満になった場合には、規制無を示す特定パターンをのせた発呼規制信号を送信し発呼規制を解除し、メモリ部により、優先送信先電話番号を記憶しており、発呼要求確率生起部により、最低値１−最高値１００％のランダムな数Ｎである発呼要求確率を発生し、発呼要求部により、加入者から要求があった送信先電話番号を得、基地局からの発呼規制信号を受信し、優先送信先電話番号用の発呼規制値Ｍ１と優先送信先電話番号以外用の発呼規制値Ｍ２（Ｍ１＜Ｍ２）を得、発呼要求確率生起部を動作させて発呼要求確率Ｎを得、メモリ部から優先送信先電話番号を読み出し、送信先電話番号が、優先送信先電話番号の中に存在するか否か確認し、送信先電話番号が優先送信先電話番号に存在する場合は、発呼要求確率Ｎと発呼規制値Ｍ１を比較し、発呼要求確率Ｎが発呼規制値Ｍ１より大きい時は発呼要求信号を送信し、小さい時には移動端末のディスプレイに発呼拒否メッセージを出力の上、加入者からの発呼要求は破棄し、反対に、送信先電話番号が、優先送信先電話番号に存在しない場合は、発呼要求確率Ｎと発呼規制値Ｍ２を比較し、発呼要求確率Ｎが発呼規制値Ｍ２より大きい時は発呼要求信号を送信し、小さい時には移動端末のディスプレイに発呼拒否メッセージを出力の上、加入者からの発呼要求は破棄する。
また、基地局は、更に、日時管理部とタイマーとを備える、発呼規制時における優先発呼受付システムを用いた優先発呼受付方法であって、日時管理部により、多数の発呼が予想される日時付近に近づいたら事前に、通信トラヒックの測定値に関わらず、発呼規制送信部より、発呼規制信号を送信し、発呼規制信号を送信したらタイマーを動作させ、一定時間を経過した場合には、規制無を示す特定パターンをのせた発呼規制信号を送信し発呼規制を解除してもよい。
また、更に、地震や大規模災害が発生した場合に、その災害がどの基地局エリアで発生、収束したものかを認識、管理している上位装置を含み、基地局は、更に、災害時対応部を備える、発呼規制時における優先発呼受付システムを用いた優先発呼受付方法であって、上位装置により、該当する基地局に対し、災害発生、収束の災害情報を災害情報信号で通知し、災害時対応部により、上位装置から災害情報信号を受信し、災害発生の場合には、通信トラヒックの測定値に関わらず、発呼規制送信部より、発呼規制信号を送信し、災害収束の場合には、規制無を示す特定パターンをのせた発呼規制信号を送信し発呼規制を解除してもよい。
本発明の発呼規制時における優先発呼受付システムを用いた優先発呼受付方法は、固定網の電話番号も含む電話番号を管理している上位装置と、複数の交換局と、交換局の配下の複数の基地局と、交換局の配下の複数の移動端末とが連なってネットワーク全体として構成され、交換局は、トラヒック測定部と発呼規制送信部とメモリ部とタイマーとを備え、基地局は、トラヒック測定部と、発呼規制送信部とを備え、移動端末は、発呼要求部とメモリ部と乱数発生器である発呼要求確率生起部とを備える、発呼規制時における優先発呼受付システムを用いた優先発呼受付方法であって、上位装置のメモリ部により、予め多数の発呼が予想される特定の送信電話番号を記憶させておき、交換局内のトラヒック測定部により、基地局から送信される発呼要求信号の受信、及び一定時間単位でその信号数を数えて通信トラヒックを測定するとともに、送信先電話番号と送信先電話番号に対する発呼要求数を、発呼要求数が多い順に一定数を交換局内のメモリ部のリストに登録し、タイマーにより、一定時間単位で交換局内のメモリ部のリストをクリアし、交換局内の発呼規制送信部により、交換局内のメモリ部のリストにおいて発呼要求数が一定値以上になった送信先電話番号があった場合は、送信先電話番号が優先送信先電話番号ではなく、特定の送信先電話番号に該当するか否かを、上位装置のメモリ部に登録されている特定の送信先電話番号で確認し、特定の送信先電話番号に該当する場合は、交換局内の発呼規制送信部は、該当する送信先電話番号を、規制送信先電話番号として基地局−交換局間及び交換局−交換局間の信号にのせて基地局へ通知し、交換局内の発呼規制送信部により、基地局へ通知した規制送信先電話番号への発呼要求数が、交換局内のメモリ部のリストにおいて、一定値未満になった場合には、規制解除を示す特定パターンを基地局へ通知し、基地局内のトラヒック測定部により、移動端末から送信される発呼要求信号の受信するとともに一定時間単位でその信号数を数えて通信トラヒックを測定し、基地局内の発呼規制送信部により、通信トラヒックの測定値が一定値以上になった場合には、発呼を規制すべき発呼規制信号を送信するとともに、通信トラヒックの測定値が一定値未満の場合においても、交換局から規制送信先電話番号を受信した場合は、発呼規制信号内の規制送信先電話番号にのせ、発呼規制信号を送信し、通信トラヒックの測定値が一定値未満になった場合や、前記交換局から規制送信先電話番号の規制解除を示す特定パターンを受信した場合は、規制無を示す特定パターンをのせた発呼規制信号を移動端末へ送信し発呼規制を解除し、移動端末のメモリ部により、優先送信先電話番号を記憶しており、発呼要求確率生起部は、最低値１−最高値１００％のランダムな数Ｎである発呼要求確率を発生し、発呼要求部により、加入者から要求があった送信先電話番号を得、基地局からの発呼規制信号を受信し、優先送信先電話番号用の発呼規制値Ｍ１と優先及び規制送信先電話番号以外用の発呼規制値Ｍ２と規制送信先電話番号用の発呼規制値Ｍ３（Ｍ１＜Ｍ２＜Ｍ３）及び規制送信先電話番号を得、発呼要求確率生起部を動作させて発呼要求確率Ｎを得、移動端末のメモリ部から優先送信先電話番号を読み出し、送信先電話番号が、優先送信先電話番号の中に存在するか否か確認し、送信先電話番号が優先送信先電話番号に存在する場合は、発呼要求確率Ｎと発呼規制値Ｍ１を比較し、発呼要求確率Ｎが発呼規制値Ｍ１より大きい時は発呼要求信号を送信し、小さい時には移動端末のディスプレイに発呼拒否メッセージを出力の上、加入者からの発呼要求は破棄し、反対に、送信先電話番号が、優先送信先電話番号に存在しない場合は、発呼規制信号内の規制送信先電話番号の中に存在するか否か確認し、存在しない場合は、発呼要求確率Ｎと発呼規制値Ｍ２を比較し、発呼要求確率Ｎが発呼規制値Ｍ２より大きい時は発呼要求信号を送信し、小さい時には移動端末のディスプレイに発呼拒否メッセージを出力の上、加入者からの発呼要求は破棄し、反対に、送信先電話番号が、規制送信先電話番号に存在する場合は、発呼要求確率Ｎと発呼規制値Ｍ３を比較し、発呼要求確率Ｎが発呼規制値Ｍ３より大きい時は発呼要求信号を送信し、小さい時には移動端末のディスプレイに発呼拒否メッセージを出力の上、加入者からの発呼要求は破棄する。
また、予め多数の発呼が予想される特定の送信先電話番号は、チケット予約先電話番号であってもよい。
また、上位装置は、更に、日時管理部とタイマーとを備える、発呼規制時における優先発呼受付システムを用いた優先発呼受付方法であって、日時管理部により、多数の発呼が予想される日時付近に近づいたら事前に、通信トラヒックの測定値に関わらず、規制送信先電話番号を基地局−交換局間及び交換局−交換局間の信号にのせて基地局へ通知し、規制送信先電話番号を通知したら上位装置のタイマーを動作させ、一定時間を経過した場合には、規制解除を示す特定パターンを基地局へ通知し発呼規制を解除してもよい。
本発明のプログラムは、コンピュータ又はマイクロプロセッサに、上述の発呼規制時における優先発呼受付システムを用いた優先発呼受付方法を実行させる。
即ち、本発明は、移動通信システムにおいて、トラヒック特性に適応した最適な発呼規制を行うとともに、規制中における発呼の扱いにおいて、１１０番通報や１１９番通報等、緊急を要する送信先電話番号への発呼の場合には、発呼要求確率Ｎが発呼規制値より大きい結果が得られる確率を、それ以外の送信先電話番号への発呼の場合よりも高くすることで、規制中における緊急時のサービス性の向上を提供するものである。
これにより、規制中における発呼の扱いにおいて、１１０番通報や１１９番通報等、緊急を要する送信先電話番号への発呼である加入者と、それ以外の送信先電話番号への発呼である加入者の、発呼規制値を発呼規制値Ｍ１及びＭ２に分けることで、緊急を要する送信先電話番号への発呼の場合には、規制中においても発呼要求を短時間で満たすようにし、サービス性の向上を実現する。
更に、本発明は、移動通信システムにおいて、複数の発呼規制値を格納する第１のメモリと、前記複数の発呼規制値のいずれかに関連付けられた電話番号を格納する第２のメモリと、乱数発生装置とを備える移動端末と、発呼規制信号を送信する手段を備える基地局とを備え、前記基地局から前記発呼規制信号を受信している場合、前記移動端末は、発呼しようとしている電話番号を、前記第２のメモリに格納された電話番号と比較し、一致する場合、当該電話番号に関連付けられた発呼規制値と、前記乱数発生装置の出力に応じて、発呼の可否を判定することを特徴とする移動通信システム及び移動通信端末を提供する。
【図面の簡単な説明】  第１図は、従来技術の動作を示すフローチャートであり、
第２図は、本発明の第１の実施の形態の構成を示すブロック図であり、
第３図は、本発明の第１の実施の形態の動作を示すフローチャートであり、
第４図は、本発明の第１の実施の形態を説明する基地局から送信される発呼規制信号の一構成例を示す図であり、
第５図は、本発明の第１の実施の形態を説明する発呼要求確率Ｎと送信先電話番号に応じた発呼規制値Ｍ１及びＭ２を表した図であり、
第６図は、本発明の第２の実施の形態の構成を示すブロック図であり、
第７図は、本発明の第２の実施の形態を説明する発呼要求確率Ｎの範囲と送信先電話番号に応じた発呼規制値Ｍ１及びＭ２を表した図であり、
第８図は、本発明の第３の実施の形態の構成を示すブロック図であり、
第９図は、本発明の第４の実施の形態の構成を示すブロック図であり、
第１０図は、本発明の第４の実施の形態を説明する基地局から送信される発呼規制信号の一構成例を示す図であり、
第１１図は、本発明の第４の実施の形態の動作を示すフローチャートであり、
第１２図は、本発明の第４の実施の形態を説明する発呼要求確率Ｎの範囲と送信先電話番号に応じた発呼規制値Ｍ１及びＭ２及びＭ３を表した図であり、
第１３図は、本発明の第５の実施の形態の構成を示すブロック図である。
【発明を実施するための最良の形態】  （発明の第１の実施の形態）
以下、本発明の第１の実施の形態について第２図を参照して説明する。
第２図を参照すると、本実施の形態は、移動端末１と基地局２とを含む。
移動端末１は、発呼要求部１１とメモリ部１２と発呼要求確率生起部１３とを備えている。
発呼要求部１１は、加入者から要求があった送信先電話番号１１１を得る。又、基地局２からの発呼規制信号を受信し、発呼規制値Ｍ１１１２、Ｍ２１１３（Ｍ１＜Ｍ２）を得る。
発呼規制値Ｍ１、Ｍ２（Ｍ１＜Ｍ２）は、優先送信先電話番号用の発呼規制値Ｍ１１１２、優先送信先電話番号以外用の発呼規制値Ｍ２１１３とする。
次に発呼要求部１１は、移動端末１内の乱数発生器である発呼要求確率生起部１３を動作させて最低値１−最高値１００％のランダムな数Ｎ（発呼要求確率）を得る。
次に発呼要求部１１は、メモリ部１２から１１０番や１１９番等、緊急を要する先の電話番号が設定されている優先送信先電話番号＃０〜＃Ｎ１２１を読み出し、加入者から要求があった送信先電話番号１１１が、メモリ部１２の優先送信先電話番号＃０〜＃Ｎ１２１の中に存在するかどうか確認する。加入者から要求があった送信先電話番号１１１が優先送信先電話番号＃０〜＃Ｎに存在する場合は、発呼要求確率Ｎと発呼規制値Ｍ１１１２を比較し、発呼要求確率Ｎが発呼規制値Ｍ１１１２より大きい時は発呼要求信号を送信し、小さい時には移動端末１のディスプレイに発呼拒否メッセージを出力の上、加入者からの発呼要求は破棄する。
反対に、加入者から要求があった送信先電話番号１１１が、メモリ部１２の送信先電話番号＃０〜＃Ｎに存在しない場合は、発呼要求確率Ｎと発呼規制値Ｍ２１１３を比較し、同様の動作を行う。
発呼規制値Ｍ１１１２、Ｍ２１１３（Ｍ１＜Ｍ２）は、Ｍ１＜Ｍ２とすることで、加入者から発呼要求があった送信先電話番号１１１が、メモリ部１２の優先送信先電話番号＃０〜＃Ｎ１２１に存在する場合の発呼要求信号を送信する確率を、存在しない場合よりも高くする。
メモリ部１２は、優先送信先電話番号＃０〜＃Ｎ１２１を記憶しており、１１０番や１１９番等、緊急を要する先の電話番号が設定されている。
発呼要求確率生起部１３は、最低値１−最高値１００％のランダムな数Ｎ（発呼要求確率）を発生する。
基地局２は、トラヒック測定部２１と、発呼規制送信部２２とを備える。
トラヒック測定部２１は、移動端末１から送信される発呼要求信号を受信するとともに一定時間単位でその信号数を数えて通信トラヒックを測定する。
通信トラヒックの測定方法については、移動端末１からの発呼要求信号に対して、基地局２は回線が一杯で発呼要求を受け付けられないと移動端末１に回答した数、即ち、発呼要求信号数に対する発呼要求受付不可数等の率（％）で測定しても良い。
発呼規制送信部２２は、通信トラヒックの測定値が一定値以上になった場合には、発呼を規制すべき発呼規制信号を送信する。又、通信トラヒックの測定値が一定値未満になった場合には、規制無を示す特定パターンをのせた発呼規制信号を送信し発呼規制を解除する。
次に、第２図、第３図、第４図、第５図を参照して本実施の形態の動作について詳細に説明する。
移動端末１は発呼要求の時には、発呼要求部１１において、加入者から要求があった送信先電話番号１１１を得る（Ｓ１）。又、基地局２から報知されている発呼規制信号を受信し、規制がかかっている時にはその発呼規制値Ｍ１及びＭ２を検出する（Ｓ２）。
第４図に基地局２から送信される発呼規制信号の信号構成例を示す。３１は発呼規制表示部、３２は基地局番号である。発呼規制表示部３１は発呼規制をしない時は規制無を示す特定パターンとし、規制がある時はその発呼規制値とする。発呼規制値Ｍ１及びＭ２は、優先送信先電話番号用の発呼規制値Ｍ１、優先送信先電話番号以外用の発呼規制値Ｍ２とする。
次に発呼要求部１１は、移動端末１内の乱数発生器である発呼要求確率生起部１３を動作させて最低値１−最高値１００％のランダムな数Ｎ（発呼要求確率）を得る（Ｓ３）。
次に発呼要求部１１は、メモリ部１２から１１０番や１１９番等、緊急を要する先の電話番号が設定されている優先送信先電話番号＃０〜＃Ｎ１２１を読み出し、加入者から要求があった送信先電話番号が、メモリ部１２の送信先電話番号＃０〜＃Ｎ１２１の中に存在するか確認する（Ｓ４及びＳ５）。加入者から要求があった送信先電話番号１１１が優先送信先電話番号＃０〜＃Ｎに存在する場合は、発呼要求確率Ｎと発呼規制値Ｍ１１１２を比較し、発呼要求確率Ｎが発呼規制値Ｍ１１１２より大きい時は発呼要求信号を送信し、小さい時には移動端末１のディスプレイに発呼拒否メッセージを出力の上、加入者からの発呼要求は破棄する（Ｓ６及びＳ８及びＳ９）。
反対に、加入者から要求があった送信先電話番号１１１が、メモリ部１２の送信先電話番号＃０〜＃Ｎに存在しない場合は、発呼要求確率Ｎと発呼規制値Ｍ２１１３を比較し、同様の動作を行う（Ｓ７及びＳ８及びＳ９）。
第５図は発呼要求確率Ｎの範囲と送信先電話番号に応じた発呼規制値Ｍ１及びＭ２を表した図である。発呼規制値Ｍ１、Ｍ２（Ｍ１＜Ｍ２）は、優先送信先電話番号用の発呼規制値Ｍ１１１２、優先送信先電話番号以外用の発呼規制値Ｍ２１１３である。
このように、発呼規制値Ｍ１１１２、Ｍ２１１３（Ｍ１＜Ｍ２）は、Ｍ１＜Ｍ２とすることで、加入者から発呼要求があった送信先電話番号１１１が、メモリ部１２の優先送信先電話番号＃０〜＃Ｎ１２１に存在する場合の発呼要求信号を送信する確率を、存在しない場合よりも高くする。
（発明の第２の実施の形態）
次に、本発明の第２の実施の形態について図面を参照して詳細に説明する。
第６図を参照すると、本実施の形態は、基地局５２内に日時管理部５２３及びタイマー５２４を備え、大晦日から元旦に変わる０時付近など多数の発呼が予想される日時において、ある一定時間の間、通信トラヒックの測定値に関わらず、発呼規制信号を送信する点で異なる。
日時管理部５２３は、大晦日から元旦に変わる０時付近など多数の発呼が予想される日時付近に近づいたら事前に、通信トラヒックの測定値に関わらず、発呼規制送信部５２２より、発呼規制信号を送信する。発呼規制信号を送信したらタイマー５２４を動作させ、一定時間を経過した場合には、規制無を示す特定パターンをのせた発呼規制信号を送信し発呼規制を解除する。
第７図は、本実施の形態を説明する発呼要求確率Ｎの範囲と送信先電話番号に応じた発呼規制値Ｍ１及びＭ２を表した図である。
大晦日から元旦に変わる０時付近など多数の発呼が予想される日時付近は、優先送信先電話番号以外用の発呼規制値Ｍ２５１１３＝１００として全ての発呼を規制する場合があるが、このような場合においても、１１０番通報や１１９番通報等、緊急を要する先への発呼である加入者の発呼要求は、優先送信先電話番号用の発呼規制値Ｍ１５１１２＝０とすることで救出することができる。
また、日時管理部５２３及びタイマー５２４については基地局５２内に備えるのではなく、無線ネットワーク制御装置や保守運用センター等で備えるようにして、発呼規制の旨を基地局５２へ通知するようにしても良い。
（発明の第３の実施の形態）
次に、本発明の第３の実施の形態について図面を参照して詳細に説明する。
第８図を参照すると、本実施の形態は、基地局７２内に災害時対応部７２３を備え、基地局７２エリア内で地震や大規模災害が発生した場合には、通信トラヒックの測定値に関わらず、発呼規制信号を送信する点で異なる。
上位装置７３は、地震や大規模災害が発生した場合に、その災害がどの基地局エリアで発生、収束したものか等を認識、管理している装置とし、該当する基地局７２に対し、災害発生、収束等の災害情報を災害情報信号で通知する。
災害時対応部７２３は、上位装置７３から災害情報信号を受信し、災害発生の場合には、通信トラヒックの測定値に関わらず、発呼規制送信部７２２より、発呼規制信号を送信する。又、災害収束の場合には、規制無を示す特定パターンをのせた発呼規制信号を送信し発呼規制を解除する。
これにより、地震や大規模災害が発生した基地局エリアでは、安否の連絡等で多数の発呼が予想されるが、災害発生、収束等の災害情報に応じてより迅速に発呼規制を行うことにより、１１０番通報や１１９番通報等、緊急を要する先への発呼である加入者の発呼要求を救出することができる。
又、上位装置７３において、災害エリアの管理とともに、各基地局エリアの近傍の警察署、消防署等の緊急電話番号情報をも管理し、災害発生の場合には、発呼規制信号に緊急電話番号情報（１１０番、１１９番、各基地局エリアの近傍の警察署、消防署等の緊急電話番号）ものせて移動端末７１へ通知し、移動端末７１の端末画面上に緊急電話番号情報を表示するようにして、パニックに陥っている加入者が迅速に救助を求められるようにしても良い。
（発明の第４の実施の形態）
次に、本発明の第４の実施の形態について図面を参照して詳細に説明する。
第９図を参照すると、本実施の形態は、交換局８３内にトラヒック測定部８３１及び発呼規制送信部８３２及びメモリ部８３３及びタイマー８３４を備え、チケット予約先電話番号等の特定の電話番号へ集中した多数発呼が原因による発呼規制において、１１０番通報や１１９番通報等、緊急を要する先への発呼である加入者の発呼要求を救出するだけでなく、チケット予約先電話番号等の特定の電話番号以外への発呼である加入者の発呼要求も優先的に受け付ける点で異なる。
又、本実施の形態は一般的な移動通信システムとし、交換局８３の配下には複数の基地局８２があり、交換局８３と同等の位置には複数の交換局８３が連なってネットワーク全体を構成しているものとする。
交換局８３内のトラヒック測定部８３１は、基地局８２から送信される発呼要求信号の受信、及び一定時間単位でその信号数を数えて通信トラヒックを測定するとともに、送信先電話番号とその送信先電話番号に対する発呼要求数を、発呼要求数が多い順に一定数（例えばワースト５まで）をメモリ部８３３のリスト８３３１に登録する。
タイマー８３４は、一定時間（例えば一時間）単位でメモリ部８３３のリスト８３３１をクリアする。
発呼規制送信部８３２は、メモリ部８３３のリスト８３３１において発呼要求数が一定値以上になった送信先電話番号があった場合は、その送信先電話番号が１１０番通報や１１９番通報等、緊急を要する電話番号ではなく、チケット予約先電話番号等の特定の電話番号に該当するか否かを、電話番号（固定網の電話番号も含む）を管理している上位装置８４のメモリ部８４１に登録されているチケット予約先等の送信先電話番号＃０〜＃Ｑ８４１１で確認する。
電話番号（固定網の電話番号も含む）を管理している上位装置８４のメモリ部８４１には、予めチケット予約先等の送信先電話番号＃０〜＃Ｑ８４１１を記憶させておく。
チケット予約先電話番号等の特定の電話番号に該当する場合は、発呼規制送信部８３２は、該当する送信先電話番号を規制送信先電話番号＃０〜＃Ｐとして、基地局８２−交換局８３間及び交換局８３−交換局８３間の信号にのせて基地局８２へ通知する。
又、発呼規制送信部８３２は、基地局８２へ通知した規制送信先電話番号＃０〜＃Ｐへの発呼要求数が、メモリ部８３３のリスト８３３１において、一定値未満になった場合には、規制解除を示す特定パターンを基地局８２へ通知する。
基地局８２内のトラヒック測定部８２１は、移動端末８１から送信される発呼要求信号の受信、及び一定時間単位でその信号数を数えて通信トラヒックを測定する。
発呼規制送信部８２２は、通信トラヒックの測定値が一定値以上になった場合には、発呼を規制すべき発呼規制信号を送信するとともに、通信トラヒックの測定値が一定値未満の場合においても、交換局８３から発呼要求数が一定値以上になった規制送信先電話番号＃０〜＃Ｐを受信した場合は、発呼規制信号内の規制送信先電話番号＃０〜＃Ｐにのせ、発呼規制信号を送信する。又、発呼規制送信部８２２は、通信トラヒックの測定値が一定値未満になった場合や、交換局８３から規制送信先電話番号＃０〜＃Ｐの規制解除を示す特定パターンを受信した場合は、規制無を示す特定パターンをのせた発呼規制信号を移動端末８１へ送信し発呼規制を解除する。
第１０図に本実施の形態を説明する基地局８２から送信される発呼規制信号の構成例を示す。９１は発呼規制表示部、９２は基地局番号、９３は規制送信先電話番号＃０〜＃Ｐである。発呼規制表示部９１は発呼規制をしない時は規制無を示す特定パターンとし、規制がある時はその発呼規制値とする。発呼規制値Ｍ１及びＭ２及びＭ３は、優先送信先電話番号用の発呼規制値Ｍ１、優先及び規制送信先電話番号以外用の発呼規制値Ｍ２、規制送信先電話番号用の発呼規制値Ｍ３とする。
第１１図は本実施の形態を説明する移動端末の動作を示すフローチャートである。移動端末８１は発呼要求の時には、発呼要求部８１１において、加入者から要求があった送信先電話番号８１１１を得る（Ｓ１０１）。又、基地局７２から報知されている発呼規制信号を受信し、規制がかかっている時にはその発呼規制値Ｍ１８１１２及びＭ２８１１１３及びＭ３８１１４及び規制送信先電話番号＃０〜＃Ｐ８１１５を検出する（Ｓ１０２）。
次に発呼要求部８１１は、移動端末８１内の乱数発生器である発呼要求確率生起部８１３を動作させて最低値１−最高値１００％のランダムな数Ｎ（発呼要求確率）を得る（Ｓ１０３）。
次に発呼要求部８１１は、メモリ部８１２から１１０番や１１９番等、緊急を要する先の電話番号が設定されている優先送信先電話番号＃０〜＃Ｎ８１２１を読み出し、加入者から要求があった送信先電話番号が、メモリ部８１２の優先送信先電話番号＃０〜＃Ｎ８１２１の中に存在するか確認する（Ｓ１０４及びＳ１０５）。加入者から要求があった送信先電話番号８１１１が優先送信先電話番号＃０〜＃Ｎに存在する場合は、発呼要求確率Ｎと発呼規制値Ｍ１８１１２を比較し、発呼要求確率Ｎが発呼規制値Ｍ１８１２より大きい時は発呼要求信号を送信し、小さい時には移動端末８１のディスプレイに発呼拒否メッセージを出力の上、加入者からの発呼要求は破棄する（Ｓ１０６及びＳ１０１０及びＳ１０１１）。
反対に、加入者から要求があった送信先電話番号８１１１が、メモリ部８１２の優先送信先電話番号＃０〜＃Ｎに存在しない場合は、発呼規制信号内の規制送信先電話番号＃０〜＃Ｐの中に存在するか確認する（Ｓ１０７）。存在しない場合は、発呼要求確率Ｎと発呼規制値Ｍ２８１１３を比較し、同様の動作を行う（Ｓ１０８及びＳ１０１０及びＳ１０１１）。存在する場合は、発呼要求確率Ｎと発呼規制値Ｍ３８１１３を比較し、同様の動作を行う（Ｓ１０９及びＳ１０１０及びＳ１０１１）。
第１２図は発呼要求確率Ｎの範囲と送信先電話番号に応じた発呼規制値Ｍ１及びＭ２及びＭ３を表した図である。発呼規制値Ｍ１、Ｍ２、Ｍ３（Ｍ１＜Ｍ２＜Ｍ３）は、優先送信先電話番号用の発呼規制値Ｍ１８１１２、優先及び規制送信先電話番号以外用の発呼規制値Ｍ２８１１３、規制送信先電話番号用の発呼規制値Ｍ３８１１４である。
このように、発呼規制値Ｍ１８１１２、Ｍ２８１１３、Ｍ３８１１３（Ｍ１＜Ｍ２＜Ｍ３）は、Ｍ１＜Ｍ２＜Ｍ３とすることで、チケット予約先電話番号等の特定電話番号へ集中した多数発呼が原因による発呼規制において、１１０番通報や１１９番通報等、緊急を要する先への発呼である加入者の発呼要求を救出するだけでなく、チケット予約先電話番号等の特定電話番号以外への発呼である加入者の発呼要求も優先的に受け付けることを可能にする。
又、特定電話番号へ集中した多数発呼が原因による基地局８２以上の上位装置の輻輳を、移動端末８１の時点で防ぐことを可能にする。
又、移動端末８１において、規制送信先電話番号＃０〜＃Ｐをのせた発呼規制信号を受信した場合は、規制送信先電話番号＃０〜＃Ｐへのリダイヤルを一定時間無効になるようにし、移動端末８１の端末画面上に、「お客様がおかけになっている電話番号は現在大変込み合っております」等を表示するようにして、加入者も混雑を認識できるようにしても良い。
又、電話番号（固定網の電話番号も含む）を管理している上位装置８４については、無線ネットワーク制御装置や保守運用センター等で備えるようにしても良い。
（発明の第５の実施の形態）
次に、本発明の第５の実施の形態について図面を参照して詳細に説明する。
第１３図を参照すると、本実施例は、電話番号（固定網の電話番号も含む）を管理している上位装置１２４内に日時管理部１２４２及びタイマー１２４３を備え、事前に、特定時間帯に発呼要求が殺到する特定電話番号が予想される場合は、ある一定時間の間、通信トラヒックの測定値に関わらず、発呼規制信号を送信する点で異なる。
事前に、特定時間帯に発呼要求が殺到する特定電話番号が予想される場合は、日時等を日時管理部１２４２に設定しておく。日時管理部１２４２は、設定された日時付近に近づいたら事前に、該当する規制送信先電話番号＃０〜＃Ｐを、基地局１２２−交換局１２３間及び交換局１２３−交換局１２３間の信号にのせて基地局１２２へ通知する。
基地局１２２へ発呼を規制すべき規制送信先電話番号＃０〜＃Ｐを通知したらタイマー１２４３を動作させ、一定時間を経過した場合には、規制解除を示す特定パターンを基地局１２２へ通知する。
これにより、事前に、特定時間帯に発呼要求が殺到する特定電話番号が予想される場合は、あらかじめ規制をかけることで、特定電話番号へ集中した多数発呼が原因による基地局１２２以上の上位装置の輻輳を、移動端末１２１の時点で事前に防ぐことを可能にする。
又、発呼を規制すべき規制送信先電話番号＃０〜＃Ｐを通知し規制する範囲は、ネットワーク全体でも構わないが、例えば輻輳が起こりやすい人口が密集している都心部のみでも良い。
又、上述の本発明の第１〜５の実施の形態についての発呼規制時における優先発呼受付システムを用いた優先発呼受付方法のプログラムにより、コンピュータ又はマイクロプロセッサにその優先発呼受付方法を実行させることができる。
【産業上の利用可能性】  以上、本発明には以下の効果がある。
第１の効果は、トラヒック特性に適応した最適な発呼規制を可能にすることである。
その理由は、移動端末１は基地局２からの発呼規制信号を受信して、規制エリアに在圏中に発呼をする時は自ら発生した乱数値Ｎと基地局からの発呼規制値Ｍを比較して発呼の是非を判断するシステムにおいて、基地局２から報知する発呼規制値Ｍ１及びＭ２をトラヒック特性に応じてダイナミックに変更するためである。
第２の効果は、１１０番通報や１１９番通報等、緊急を要する先への発呼である加入者の場合には、規制中においても発呼要求を短時間で満たすようにする。
その理由は、規制中における発呼の扱いにおいて、１１０番通報や１１９番通報等、緊急を要する送信先電話番号への発呼である加入者と、それ以外の送信先電話番号への発呼である加入者の、発呼規制値を発呼規制値Ｍ１及びＭ２に分けることで、緊急を要する送信先電話番号への発呼の場合には、発呼要求確率Ｎが発呼規制値より大きい結果が得られる確率を、それ以外の送信先電話番号へ発呼の場合よりも高くするためである。
第３の効果は、大晦日から元旦に変わる０時付近など多数の発呼が予想される日時付近は、全ての発呼を規制する場合があるが、このような場合でも１１０番通報や１１９番通報等、緊急を要する先への発呼である加入者の発呼要求を救出することができることである。
その理由は、大晦日から元旦に変わる０時付近など多数の発呼が予想される日時付近に近づいたら事前に、通信トラヒックの測定値に関わらず、発呼規制送信部より、発呼規制信号を送信し、発呼規制信号を送信したらタイマーを動作させ、一定時間を経過した場合には、規制無を示す特定パターンをのせた発呼規制信号を送信し発呼規制を解除するためである。
第４の効果は、地震や大規模災害が発生した基地局エリアでは、安否の連絡等で多数の発呼が予想されるが、災害発生、収束等の災害情報に応じてより迅速に発呼規制を行うことにより、１１０番通報や１１９番通報等、緊急を要する先への発呼である加入者の発呼要求を救出することができることである。
その理由は、基地局内に災害時対応部を備え、災害時対応部は、上位装置から災害情報信号を受信し、災害発生の場合には、通信トラヒックの測定値に関わらず、発呼規制送信部より、発呼規制信号を送信し、災害収束の場合には、規制無を示す特定パターンをのせた発呼規制信号を送信し発呼規制を解除するためである。
第５の効果は、チケット予約先電話番号等の特定の電話番号へ集中した多数発呼が原因による発呼規制において、１１０番通報や１１９番通報等、緊急を要する先への発呼である加入者の発呼要求を救出するだけでなく、チケット予約先電話番号等の特定の電話番号以外への発呼である加入者の発呼要求も優先的に受け付けることができることである。
その理由は、交換局内にトラヒック測定部及び発呼規制送信部及びメモリ部及びタイマーを備え、それぞれの発呼規制値Ｍ１、Ｍ２、Ｍ３（Ｍ１＜Ｍ２＜Ｍ３）は、Ｍ１＜Ｍ２＜Ｍ３とすることで、チケット予約先電話番号等の特定電話番号へ集中した多数発呼が原因による発呼規制において、１１０番通報や１１９番通報等、緊急を要する先への発呼である加入者の発呼要求を救出するだけでなく、チケット予約先電話番号等の特定電話番号以外への発呼である加入者の発呼要求も優先的に受け付けることを可能にするためである。
【図１】
2005032198.tif 000003
【図２】
2005032198.tif 000004
【図３】
2005032198.tif 000005
【図４】
2005032198.tif 000006
【図５】
2005032198.tif 000007
【図６】
2005032198.tif 000008
【図７】
2005032198.tif 000009
【図８】
2005032198.tif 000010
【図９】
2005032198.tif 000011
【図１０】
2005032198.tif 000012
【図１１】
2005032198.tif 000013
【図１２】
2005032198.tif 000014
【図１３】
2005032198.tif 000015
【手続補正書】
【提出日】平成17年3月25日(2005.3.25)
【手続補正１】
【補正対象書類名】特許請求の範囲
【補正対象項目名】全文
【補正方法】変更
【補正の内容】
【書類名】請求の範囲
【請求項１】移動端末と基地局とから構成され、
前記基地局は、トラヒック測定部と、発呼規制送信部とを備え、
前記トラヒック測定部は、前記移動端末から送信される発呼要求信号を受信するとともに一定時間単位でその信号数を数えて通信トラヒックを測定し、
前記発呼規制送信部は、通信トラヒックの測定値が一定値以上になった場合には、発呼を規制すべき発呼規制信号を送信し、通信トラヒックの測定値が一定値未満になった場合には、規制無を示す特定パターンをのせた発呼規制信号を送信し発呼規制を解除し、
前記移動端末は、発呼要求部とメモリ部と乱数発生器である発呼要求確率生起部とを備え、
前記メモリ部は、優先送信先電話番号を記憶しており、
前記発呼要求確率生起部は、最低値１−最高値１００％のランダムな数Ｎである発呼要求確率を発生し、
前記発呼要求部は、加入者から要求があった送信先電話番号を得、前記基地局からの発呼規制信号を受信し、優先送信先電話番号用の発呼規制値Ｍ１と優先送信先電話番号以外用の発呼規制値Ｍ２（Ｍ１＜Ｍ２）を得、前記発呼要求確率生起部を動作させて前記発呼要求確率Ｎを得、前記メモリ部から前記優先送信先電話番号を読み出し、前記送信先電話番号が、前記優先送信先電話番号の中に存在するか否か確認し、
前記送信先電話番号が前記優先送信先電話番号に存在する場合は、前記発呼要求確率Ｎと前記発呼規制値Ｍ１を比較し、前記発呼要求確率Ｎが前記発呼規制値Ｍ１より大きい時は発呼要求信号を送信し、小さい時には前記移動端末のディスプレイに発呼拒否メッセージを出力の上、加入者からの発呼要求は破棄し、
反対に、前記送信先電話番号が、前記優先送信先電話番号に存在しない場合は、前記発呼要求確率Ｎと前記発呼規制値Ｍ２を比較し、前記発呼要求確率Ｎが前記発呼規制値Ｍ２より大きい時は発呼要求信号を送信し、小さい時には前記移動端末のディスプレイに発呼拒否メッセージを出力の上、加入者からの発呼要求は破棄する、発呼規制時における優先発呼受付システム。
【請求項２】前記基地局は、更に、日時管理部とタイマーとを備え、
前記日時管理部は、多数の発呼が予想される日時付近に近づいたら事前に、通信トラヒックの測定値に関わらず、前記発呼規制送信部より、発呼規制信号を送信し、発呼規制信号を送信したら前記タイマーを動作させ、一定時間を経過した場合には、規制無を示す特定パターンをのせた発呼規制信号を送信し発呼規制を解除する、請求項１に記載の発呼規制時における優先発呼受付システム。
【請求項３】更に、上位装置を含み、
該上位装置は、地震や大規模災害が発生した場合に、その災害がどの基地局エリアで発生、収束したものかを認識、管理している装置であり、該当する基地局に対し、災害発生、収束の災害情報を災害情報信号で通知し、
前記基地局は、更に、災害時対応部を備え、
該災害時対応部は、前記上位装置から災害情報信号を受信し、災害発生の場合には、通信トラヒックの測定値に関わらず、前記発呼規制送信部より、発呼規制信号を送信し、災害収束の場合には、規制無を示す特定パターンをのせた発呼規制信号を送信し発呼規制を解除する、請求項１に記載の発呼規制時における優先発呼受付システム。
【請求項４】上位装置と、複数の交換局と、該交換局の配下の複数の基地局と、該交換局の配下の複数の移動端末とが連なってネットワーク全体として構成され、
前記上位装置は、固定網の電話番号も含む電話番号を管理している装置であり、前記上位装置のメモリ部には、予め多数の発呼が予想される特定の送信先電話番号を記憶させておき、
前記交換局は、トラヒック測定部と発呼規制送信部とメモリ部とタイマーとを備え、
前記交換局内のトラヒック測定部は、前記基地局から送信される発呼要求信号の受信、及び一定時間単位でその信号数を数えて通信トラヒックを測定するとともに、送信先電話番号と該送信先電話番号に対する発呼要求数を、発呼要求数が多い順に一定数を前記交換局内のメモリ部のリストに登録し、
前記タイマーは、一定時間単位で前記交換局内のメモリ部のリストをクリアし、
前記交換局内の発呼規制送信部は、前記交換局内のメモリ部のリストにおいて発呼要求数が一定値以上になった送信先電話番号があった場合は、該送信先電話番号が優先送信先電話番号ではなく、前記特定の送信先電話番号に該当するか否かを、前記上位装置のメモリ部に登録されている前記特定の送信先電話番号で確認し、
前記特定の送信先電話番号に該当する場合は、前記交換局内の発呼規制送信部は、該当する送信先電話番号を、規制送信先電話番号として基地局−交換局間及び交換局−交換局間の信号にのせて基地局へ通知し、
前記交換局内の発呼規制送信部は、基地局へ通知した前記規制送信先電話番号への発呼要求数が、前記交換局内のメモリ部のリストにおいて、一定値未満になった場合には、規制解除を示す特定パターンを基地局へ通知し、
前記基地局は、トラヒック測定部と、発呼規制送信部とを備え、
前記基地局内のトラヒック測定部は、前記移動端末から送信される発呼要求信号の受信するとともに一定時間単位でその信号数を数えて通信トラヒックを測定し、
前記基地局内の発呼規制送信部は、通信トラヒックの測定値が一定値以上になった場合には、発呼を規制すべき発呼規制信号を送信するとともに、通信トラヒックの測定値が一定値未満の場合においても、前記交換局から前記規制送信先電話番号を受信した場合は、発呼規制信号内の規制送信先電話番号にのせ、発呼規制信号を送信し、通信トラヒックの測定値が一定値未満になった場合や、前記交換局から規制送信先電話番号の規制解除を示す特定パターンを受信した場合は、規制無を示す特定パターンをのせた発呼規制信号を前記移動端末へ送信し発呼規制を解除し、
前記移動端末は、発呼要求部とメモリ部と乱数発生器である発呼要求確率生起部とを備え、
前記移動端末のメモリ部は、優先送信先電話番号を記憶しており、
前記発呼要求確率生起部は、最低値１−最高値１００％のランダムな数Ｎである発呼要求確率を発生し、
前記発呼要求部は、加入者から要求があった送信先電話番号を得、前記基地局からの発呼規制信号を受信し、優先送信先電話番号用の発呼規制値Ｍ１と優先及び規制送信先電話番号以外用の発呼規制値Ｍ２と規制送信先電話番号用の発呼規制値Ｍ３（Ｍ１＜Ｍ２＜Ｍ３）及び規制送信先電話番号を得、前記発呼要求確率生起部を動作させて前記発呼要求確率Ｎを得、前記移動端末のメモリ部から前記優先送信先電話番号を読み出し、前記送信先電話番号が、前記優先送信先電話番号の中に存在するか否か確認し、
前記送信先電話番号が前記優先送信先電話番号に存在する場合は、前記発呼要求確率Ｎと前記発呼規制値Ｍ１を比較し、前記発呼要求確率Ｎが前記発呼規制値Ｍ１より大きい時は発呼要求信号を送信し、小さい時には前記移動端末のディスプレイに発呼拒否メッセージを出力の上、加入者からの発呼要求は破棄し、
反対に、前記送信先電話番号が、前記優先送信先電話番号に存在しない場合は、前記発呼規制信号内の前記規制送信先電話番号の中に存在するか否か確認し、存在しない場合は、前記発呼要求確率Ｎと前記発呼規制値Ｍ２を比較し、前記発呼要求確率Ｎが前記発呼規制値Ｍ２より大きい時は発呼要求信号を送信し、小さい時には前記移動端末のディスプレイに発呼拒否メッセージを出力の上、加入者からの発呼要求は破棄し、
反対に、前記送信先電話番号が、前記規制送信先電話番号に存在する場合は、前記発呼要求確率Ｎと前記発呼規制値Ｍ３を比較し、前記発呼要求確率Ｎが前記発呼規制値Ｍ３より大きい時は発呼要求信号を送信し、小さい時には前記移動端末のディスプレイに発呼拒否メッセージを出力の上、加入者からの発呼要求は破棄する、発呼規制時における優先発呼受付システム。
【請求項５】前記予め多数の発呼が予想される特定の送信先電話番号は、チケット予約先電話番号である、請求項４に記載の発呼規制時における優先発呼受付システム。
【請求項６】前記上位装置は、更に、日時管理部とタイマーとを備え、
前記日時管理部は、多数の発呼が予想される日時付近に近づいたら事前に、通信トラヒックの測定値に関わらず、規制送信先電話番号を基地局−交換局間及び交換局−交換局間の信号にのせて基地局へ通知し、
規制送信先電話番号を通知したら前記上位装置のタイマーを動作させ、一定時間を経過した場合には、規制解除を示す特定パターンを基地局へ通知し発呼規制を解除する、請求項４に記載の発呼規制時における優先発呼受付システム。
【請求項７】移動端末と基地局とから構成され、
前記基地局は、トラヒック測定部と、発呼規制送信部とを備え、
前記移動端末は、発呼要求部とメモリ部と乱数発生器である発呼要求確率生起部とを備える、発呼規制時における優先発呼受付システムを用いた優先発呼受付方法でおって、
前記トラヒック測定部により、前記移動端末から送信される発呼要求信号を受信するとともに一定時間単位でその信号数を数えて通信トラヒックを測定し、
前記発呼規制送信部により、通信トラヒックの測定値が一定値以上になった場合には、発呼を規制すべき発呼規制信号を送信し、通信トラヒックの測定値が一定値未満になった場合には、規制無を示す特定パターンをのせた発呼規制信号を送信し発呼規制を解除し、
前記メモリ部により、優先送信先電話番号を記憶しており、
前記発呼要求確率生起部により、最低値１−最高値１００％のランダムな数Ｎである発呼要求確率を発生し、
前記発呼要求部により、加入者から要求があった送信先電話番号を得、前記基地局からの発呼規制信号を受信し、優先送信先電話番号用の発呼規制値Ｍ１と優先送信先電話番号以外用の発呼規制値Ｍ２（Ｍ１＜Ｍ２）を得、前記発呼要求確率生起部を動作させて前記発呼要求確率Ｎを得、前記メモリ部から前記優先送信先電話番号を読み出し、前記送信先電話番号が、前記優先送信先電話番号の中に存在するか否か確認し、
前記送信先電話番号が前記優先送信先電話番号に存在する場合は、前記発呼要求確率Ｎと前記発呼規制値Ｍ１を比較し、前記発呼要求確率Ｎが前記発呼規制値Ｍ１より大きい時は発呼要求信号を送信し、小さい時には前記移動端末のディスプレイに発呼拒否メッセージを出力の上、加入者からの発呼要求は破棄し、
反対に、前記送信先電話番号が、前記優先送信先電話番号に存在しない場合は、前記発呼要求確率Ｎと前記発呼規制値Ｍ２を比較し、前記発呼要求確率Ｎが前記発呼規制値Ｍ２より大きい時は発呼要求信号を送信し、小さい時には前記移動端末のディスプレイに発呼拒否メッセージを出力の上、加入者からの発呼要求は破棄する、発呼規制時における優先発呼受付システムを用いた優先発呼受付方法。
【請求項８】前記基地局は、更に、日時管理部とタイマーとを備える、発呼規制時における優先発呼受付システムを用いた優先発呼受付方法であって、
前記日時管理部により、多数の発呼が予想される日時付近に近づいたら事前に、通信トラヒックの測定値に関わらず、前記発呼規制送信部より、発呼規制信号を送信し、癸呼規制信号を送信したら前記タイマーを動作させ、一定時間を経過した場合には、規制無を示す特定パターンをのせた発呼規制信号を送信し発呼規制を解除する、請求項６に記載の発呼規制時における優先発呼受付システムを用いた優先発呼受付方法。
【請求項９】更に、地震や大規模災害が発生した場合に、その災害がどの基地局エリアで発生、収束したものかを認識、管理している上位装置を含み、前記基地局は、更に、災害時対応部を備える、発呼規制時における優先発呼受付システムを用いた優先発呼受付方法であって、
前記上位装置により、該当する基地局に対し、災害発生、収束の災害情報を災害情報信号で通知し、
該災害時対応部により、前記上位装置から災害情報信号を受信し、災害発生の場合には、通信トラヒックの測定値に関わらず、前記発呼規制送信部より、発呼規制信号を送信し、災害収束の場合には、規制無を示す特定パターンをのせた発呼規制信号を送信し発呼規制を解除する、請求項６に記載の発呼規制時における優先発呼受付システムを用いた優先発呼受付方法。
【請求項１０】固定網の電話番号も含む電話番号を管理している上位装置と、複数の交換局と、該交換局の配下の複数の基地局と、該交換局の配下の複数の移動端末とが連なってネットワーク全体として構成され、
前記交換局は、トラヒック測定部と発呼規制送信部とメモリ部とタイマーとを備え、
前記基地局は、トラヒック測定部と、発呼規制送信部とを備え、
前記移動端末は、発呼要求部とメモリ部と乱数発生器である発呼要求確率生起部とを備える、発呼規制時における優先発呼受付システムを用いた優先発呼受付方法であって、
前記上位装置のメモリ部により、予め多数の発呼が予想される特定の送信電話番号を記憶させておき、
前記交換局内のトラヒック測定部により、前記基地局から送信される発呼要求信号の受信、及び一定時間単位でその信号数を数えて通信トラヒックを測定するとともに、送信先電話番号と該送信先電話番号に対する発呼要求数を、発呼要求数が多い順に一定数を前記交換局内のメモリ部のリストに登録し、
前記タイマーにより、一定時間単位で前記交換局内のメモリ部のリストをクリアし、
前記交換局内の発呼規制送信部により、前記交換局内のメモリ部のリストにおいて発呼要求数が一定値以上になった送信先電話番号があった場合は、該送信先電話番号が優先送信先電話番号ではなく、前記特定の送信先電話番号に該当するか否かを、前記上位装置のメモリ部に登録されている前記特定の送信先電話番号で確認し、
前記特定の送信先電話番号に該当する場合は、前記交換局内の発呼規制送信部は、該当する送信先電話番号を、規制送信先電話番号として基地局−交換局間及び交換局−交換局間の信号にのせて基地局へ通知し、
前記交換局内の発呼規制送信部により、基地局へ通知した前記規制送信先電話番号への発呼要求数が、前記交換局内のメモリ部のリストにおいて、一定値未満になった場合には、規制解除を示す特定パターンを基地局へ通知し、
前記基地局内のトラヒック測定部により、前記移動端末から送信される発呼要求信号の受信するとともに一定時間単位でその信号数を数えて通信トラヒックを測定し、
前記基地局内の発呼規制送信部により、通信トラヒックの測定値が一定値以上になった場合には、発呼を規制すべき発呼規制信号を送信するとともに、通信トラヒックの測定値が一定値未満の場合においても、前記交換局から前記規制送信先電話番号を受信した場合は、発呼規制信号内の規制送信先電話番号にのせ、発呼規制信号を送信し、通信トラヒックの測定値が一定値未満になった場合や、前記交換局から規制送信先電話番号の規制解除を示す特定パターンを受信した場合は、規制無を示す特定パターンをのせた発呼規制信号を前記移動端末へ送信し発呼規制を解除し、
前記移動端末のメモリ部により、優先送信先電話番号を記憶しており、
前記発呼要求確率生起部は、最低値１−最高値１００％のランダムな数Ｎである発呼要求確率を発生し、
前記発呼要求部により、加入者から要求があった送信先電話番号を得、前記基地局からの発呼規制信号を受信し、優先送信先電話番号用の発呼規制値Ｍ１と優先及び規制送信先電話番号以外用の発呼規制値Ｍ２と規制送信先電話番号用の発呼規制値Ｍ３（Ｍ１＜Ｍ２＜Ｍ３）及び規制送信先電話番号を得、前記発呼要求確率生起部を動作させて前記発呼要求確率Ｎを得、前記移動端末のメモリ部から前記優先送信先電話番号を読み出し、前記送信先電話番号が、前記優先送信先電話番号の中に存在するか否か確認し、
前記送信先電話番号が前記優先送信先電話番号に存在する場合は、前記発呼要求確率Ｎと前記発呼規制値Ｍ１を比較し、前記発呼要求確率Ｎが前記発呼規制値Ｍ１より大きい時は発呼要求信号を送信し、小さい時には前記移動端末のディスプレイに発呼拒否メッセージを出力の上、加入者からの発呼要求は破棄し、
反対に、前記送信先電話番号が、前記優先送信先電話番号に存在しない場合は、前記発呼規制信号内の前記規制送信先電話番号の中に存在するか否か確認し、存在しない場合は、前記発呼要求確率Ｎと前記発呼規制値Ｍ２を比較し、前記発呼要求確率Ｎが前記発呼規制値Ｍ２より大きい時は発呼要求信号を送信し、小さい時には前記移動端末のディスプレイに発呼拒否メッセージを出力の上、加入者からの発呼要求は破棄し、
反対に、前記送信先電話番号が、前記規制送信先電話番号に存在する場合は、前記発呼要求確率Ｎと前記発呼規制値Ｍ３を比較し、前記発呼要求確率Ｎが前記発呼規制値Ｍ３より大きい時は発呼要求信号を送信し、小さい時には前記移動端末のディスプレイに発呼拒否メッセージを出力の上、加入者からの発呼要求は破棄する、発呼規制時における優先発呼受付システムを用いた優先発呼受付方法。
【請求項１１】前記予め多数の発呼が予想される特定の送信先電話番号は、チケット予約先電話番号である、請求項１０に記載の発呼規制時における優先発呼受付システムを用いた優先発呼受付方法。
【請求項１２】前記上位装置は、更に、日時管理部とタイマーとを備える、発呼規制時における優先発呼受付システムを用いた優先発呼受付方法であって、
前記日時管理部により、多数の発呼が予想される日時付近に近づいたら事前に、通信トラヒックの測定値に関わらず、規制送信先電話番号を基地局−交換局間及び交換局−交換局間の信号にのせて基地局へ通知し、
規制送信先電話番号を通知したら前記上位装置のタイマーを動作させ、一定時間を経過した場合には、規制解除を示す特定パターンを基地局へ通知し発呼規制を解除する、請求項１０に記載の発呼規制時における優先発呼受付システムを用いた優先発呼受付方法。
【請求項１３】コンピュータ又はマイクロプロセッサに、請求項７に記載の発呼規制時における優先発呼受付システムを用いた優先発呼受付方法を実行させるためのプログラム。




【国際調査報告】
2005032198.tif 000016
2005032198.tif 000017
2005032198.tif 000018